(57)【特許請求の範囲】
【請求項１】
レセプタクルと接続するように構成されたハウジングと、
光ファイバーを把持するための把持装置であって、ファイバー把持要素と、該ファイバー把持要素と嵌合するように構成された作動キャップと、を有する、把持装置と、
前記ハウジング内に配置された鍔体であって、該鍔体の開口部にしっかりと配置された、軸を画定する中央穴を含むフェルールと、鍔体の概ね中央部に配置され、かつ前記把持装置を受容するための開口部を有するハウジング部分と、を含む、鍔体と、を備える光ファイバーコネクタであって、
前記ファイバー把持要素が、第１及び第２の要素脚部を連結する焦点ヒンジを有する延性材料を含み、
前記要素脚部のそれぞれが、前記作動キャップによって作動した際に内部に受容される光ファイバーを掴持するためのファイバー把持チャンネルを含み、
前記作動キャップが、前記鍔体に位置合わせされ、
前記フェルールは、光ファイバー及び把持装置の軸方向の動きから独立して軸方向に移動可能であり、
前記鍔体及び作動キャップは、第１の材料で形成され、
前記ファイバー把持要素は、第２の材料で形成され、そして、
第１の材料と第２の材料とは、夫々、フェルールの末端部に対する、把持装置で把持されている光ファイバーの末端部の相対的な位置が、少なくとも１００℃の温度領域にわたって維持されるような、熱膨張係数を有する、光ファイバーコネクタ。
【請求項２】
前記作動キャップが、ファイバー軸方向における前記鍔体の熱膨張係数と実質的に異なる、該ファイバー軸方向における熱膨張係数を有する、請求項１に記載の光ファイバーコネクタ。
【請求項３】
前記作動キャップが、前記ファイバー軸方向における前記鍔体の熱膨張係数より大きな、該ファイバー軸方向における熱膨張係数を有する、請求項２に記載の光ファイバーコネクタ。
【請求項４】
前記作動キャップが第１のキャップと第２のキャップとを備え、前記第１のキャップが前記ファイバー把持要素を前記ハウジング内に固定し、前記第２のキャップがファイバー把持要素を作動させる、請求項１に記載の光ファイバーコネクタ。
【発明の詳細な説明】
【技術分野】
【０００１】
本発明は、光コネクタに向けられたものである。
【背景技術】
【０００２】
電気通信産業分野の機械的光ファイバーコネクタは、既知である。例えば、ＬＣ、ＳＴ、ＦＣ及びＳＣ光コネクタは、広く使用されている。
【０００３】
しかしながら、市販の光コネクタは、屋外施設現場での設置に十分適していない。典型的には、これらの種類のフェルールベースのコネクタを光ファイバーに実装するには接着剤が必要である。ファイバーをフェルールに接着するプロセスは、現場で行うには厄介であり、時間がかかる。また、組立後の研磨は、職人が高度の技能を有していることを必要とする。
【０００４】
米国特許第５，３３７，３９０号に記載されているもののようなリモートグリップ光ファイバーコネクタも既知である。これらコネクタは、光ファイバーを固定するために、接着剤ではなく機械的把持要素を採用している。
【０００５】
日本国特許番号３４４５４７９、日本国特許公開番号２００４−２１０２５１（ＷＯ  ２００６／０１９５１６）及び日本国特許公開番号２００４−２１０３５７（ＷＯ  ２００６／０１９５１５）に記載されているようなハイブリッド光スプライスコネクタも既知である。しかしながら、これらのハイブリッドスプライスコネクタは、標準コネクタ形式に適合しておらず、現場において大幅なコネクタの区分組立を必要とする。コネクタの多数の小片の取扱い及び配向は、不正確なコネクタ組立体をもたらす場合があり、性能の低下又はファイバーを損傷する機会が増えるおそれがある。
【０００６】
工場で取り付け済みのファイバースタブを組み込んだコネクタも既知である。これらコネクタにおいて、スタブファイバーの後端は、フィールドファイバーに機械的に接続され、ファイバースタブの後端と終端処理されたファイバーの前端との間の隙間を充填するために屈折率整合ゲルが使用される。屋外での用途、特に温度変化が大きい場合がある環境では、ゲルの屈折率は温度に応じて変化し、その結果、より反射性になることがあり、その結果、このような特定用途でのコネクタの性能が制限される。
【先行技術文献】
【特許文献】
【０００７】
【特許文献１】米国特許第５，３３７，３９０号
【特許文献２】日本特許第３４４５４７９
【特許文献３】日本特許公開第２００４−２１０２５１
【特許文献４】国際公開第２００６／０１９５１６
【特許文献５】日本特許公開第２００４−２１０３５７
【特許文献６】国際公開第２００６／０１９５１５
【特許文献７】米国特許第７，２８０，７３３号
【発明の概要】
【発明が解決しようとする課題】
【０００８】
別の起こり得る影響は、ファイバーの末端部が互いに対して動くことであり、これは温度範囲にわたって熱膨張に差があることに起因する。スタブが適所に固着されたフェルールでは、フェルール末端部からのファイバーの突出が大きすぎると、別のコネクタとの接続時に過剰な力がフェルール末端部にかかることがあり、これによって固着線が破壊され、接続不良を招くことがある。
【課題を解決するための手段】
【０００９】
本発明の第１の態様によると、光ファイバーを終端処理する光コネクタは、レセプタクルと接続するよう構成されたハウジングと、前記ハウジング内に配置された鍔体と、を備える。鍔体は、鍔体の開口部にしっかりと配置された、軸を画定する中央穴を含むフェルールと、可撓性の壁構造体と、鍔体の概ね中央部に配置されたハウジング部分と、を含む。ハウジング部分は、光ファイバーを把持するための把持装置を受容するための開口部を含む。フェルールは、光ファイバー及び把持装置の軸方向の動きから独立して軸方向に移動可能である。
【００１０】
別の態様では、把持装置は、把持要素と、作動キャップと、を備え、把持要素は、第１及び第２の要素脚部を連結する焦点ヒンジを有する延性材料を含み、脚部のそれぞれは、作動キャップによって作動した際に内部に受容される光ファイバーを掴持するためのファイバー把持チャンネルを含む。
【００１１】
別の態様では、鍔体のハウジング部分は、把持要素を受容するネストを含み、受容される把持要素の第１の部分は、ハウジング部分の内壁に対して位置合わせされ、受容された把持要素の第２の部分は、鍔体のハウジング部分に配置される弾性要素と嵌合する。一態様では、弾性要素はスプリングアームを含む。
【００１２】
別の態様では、作動キャップは、要素脚部と嵌合するキャップの内部に配置された１つ以上のカムバーを含み、作動時に要素脚部を互いの方向に動かし、キャップは、ハウジング部分内に支障なく収まるよう構成され、その結果、作動時に、動作温度が変化すると、キャップが把持要素と共に膨張及び収縮する。一態様では、把持要素及び作動キャップは同じ材料から形成される。
【００１３】
別の態様では、鍔体は、光ファイバーを収容する光ファイバーケーブルのバッファー部を掴持するためのバッファークランプを更に含む。
【００１４】
別の態様では、フェルール及び鍔体は第１の経路を画定し、把持された光ファイバー及び把持装置は第２の経路を形成し、第１及び第２の経路は、経路長が温度変化に伴ってほぼ同量変化するよう総有効ＣＴＥがほぼ同じである。
【００１５】
別の態様では、把持装置の作動時、並びに光ファイバーコネクタの、コネクタ連結具、コネクタアダプター、及びコネクタソケットのうちの１つへの接続時に、全負荷力の約２０％未満の末端負荷が光ファイバーに直接加えられる。
【００１６】
別の態様では、可撓性の壁構造体は鍔体の湾曲外壁を含み、フェルールに加えられた変位力の一部が湾曲外壁に伝達される。
【００１７】
本発明の別の態様では、光ファイバーコネクタは、レセプタクルと接続するよう構成されたハウジングと、ハウジング内に配置された鍔体と、を備える。鍔体は、鍔体の開口部にしっかりと配置されたフェルールを備える。フェルールは、軸を画定する中央穴を含む。鍔体は、鍔体の概ね中央部分に配置されたハウジング部分であって、光ファイバーを把持するための把持装置を受容するための開口部を有するハウジング部分を備え、フェルールは、光ファイバー及び把持装置の軸方向の動きからは独立して軸方向に移動可能である。光ファイバーコネクタは、カムピンも含む。把持要素がハウジング部分に配置されるとき、把持装置の一部はカムピンの第１の部分に対して位置合わせされ、カムピンの作動の際に、把持装置がフェルールに向かって軸方向に変位するように、カムピンが把持装置と嵌合して、ファイバーの突出部を生じさせる。一態様では、カムピンは、ファイバー軸を横断する鍔体に形成された貫通孔によって受容され、カムピンは、貫通孔に挿入可能な円筒形の構造体を含む。別の態様では、カムピンは、第１の直径を有する第１の部分と、第１の直径より大きい第２の直径を有する第２の部分と、を含む。
【００１８】
本発明の別の態様では、光コネクタは、レセプタクルと接続するよう構成されたハウジングと、ハウジング内に配置された鍔体と、を備える。コネクタは、光ファイバーを把持するための把持装置を更に備え、この把持装置は、ファイバー把持要素と、把持要素と嵌合するように構成された作動キャップと、を有する。鍔体は、鍔体の開口部にしっかりと配置されたフェルールを備え、このフェルールは軸を画定する中央穴を含む。鍔体は、鍔体の概ね中央部に配置され、かつ把持装置を受容するための開口部を有するハウジング部分を更に備え、把持要素は、第１及び第２の要素脚部を連結する焦点ヒンジを有する延性材料を含む。脚部のそれぞれは、作動キャップによって作動した際に内部に受容される光ファイバーを掴持するためのファイバー把持チャンネルを含む。コネクタは、少なくとも１００℃の温度領域にわたって熱的に平衡がとられる。
【００１９】
一態様では、キャップは鍔体に位置合わせされ、鍔体及びキャップは第１の材料で形成され、要素は第２の材料で形成される。作動キャップは、同じファイバー軸方向への鍔体のＣＴＥと実質的に異なるファイバー軸方向へのＣＴＥを有する。一態様では、作動キャップは、同じファイバー軸方向への鍔体のＣＴＥより大きなファイバー軸方向へのＣＴＥを有する。
【００２０】
本発明の上記の概要は、本発明の各図示の実施形態又は全ての実施を説明しようとするものではない。図及び続く詳細な説明によって、これらの実施形態をより具体的に例示する。
【００２１】
添付図面を参照して、本発明を更に説明する。
【図面の簡単な説明】
【００２２】
【図１】本発明の一態様による代表的な光コネクタハウジングの等角図。
【図２】本発明の一態様による光コネクタの代表的な鍔体の等角図。
【図３】本発明の一態様による代表的な鍔体の断面の等角図。
【図４】本発明の一態様による代表的な鍔体の断面図。
【図５】本発明の一態様による代表的な鍔体の平面図。
【図６】本発明の一態様による代表的な光コネクタの分解図。
【図７】本発明の一態様による代表的な光コネクタの接続時の概略平面図。
【図８】本発明の一態様による代表的な光コネクタの接続時の概略平面図。
【図９】本発明の一態様による代表的な光コネクタの接続時の概略平面図。
【図１０】本発明の別の態様による光コネクタの代表的な鍔体の等角図。
【図１１】本発明の別の態様による、第１の位置にカムピンが挿入された光コネクタの代表的な鍔体の部分平面図。
【図１２】本発明の別の態様による、第２の位置にカムピンが挿入された光コネクタの代表的な鍔体の部分平面図。
【図１３】本発明の別の態様による代表的なコネクタの断面の等角図。
【図１４】本発明の別の態様による代表的な光コネクタの分解図。
【図１５】本発明の別の態様による代表的な光コネクタの接続時の概略平面図。
【図１６】本発明の別の態様による代表的な光コネクタの接続時の概略平面図。
【図１７Ａ】本発明の別の態様による代表的な光コネクタの等角図。
【図１７Ｂ】本発明の別の態様による図１７Ａの代表的な光コネクタの断面図。
【図１７Ｃ】本発明の別の態様による図１７Ａの代表的な光コネクタの分解図。
【図１７Ｄ】本発明の別の態様による図１７Ａの代表的な光コネクタの拡大断面図。
【図１８Ａ】本発明の別の態様による図１７Ａの代表的な光コネクタの作動キャップの図。
【図１８Ｂ】本発明の別の態様による図１７Ａの代表的な光コネクタの作動キャップの図。
【図１８Ｃ】本発明の別の態様による図１７Ａの代表的な光コネクタの作動キャップの図。
【図１８Ｄ】本発明の別の態様による図１７Ａの代表的な光コネクタの作動キャップの図。
【図１９Ａ】本発明の別の態様によるキャップ及び鍔体の等角図。
【図１９Ｂ】本発明の別の態様による、成形時の材料の注入流れの方向。
【００２３】
本発明は種々の修正及び代替の形態に容易に応じるが、その細部を一例として図面に示しており、また詳しく説明することにする。しかしながら、その意図は、記載された特定の実施形態に本発明を限定することにないことを理解するべきである。逆に、その意図は、添付の特許請求の範囲で定義される本発明の範囲に含まれるすべての修正物、等価物、及び代替物を網羅することである。
【発明を実施するための形態】
【００２４】
以下の発明を実施するための形態では、本明細書の一部を構成する添付の図面を参照し、本発明を実施することができる特定の実施形態を例として示す。この点に関して、「上」、「底」、「前」、「後」、「先」、「前方」、「後方」などのような方向用語は、説明する図の方向に関して用いられている。本発明の実施形態の構成要素は多くの異なる方向に置かれ得るので、方向に関する用語は、説明のために使われるものであって、決して限定するものではない。他の実施形態を利用することもでき、また、構造的又は論理的な変更が、本発明の範囲から逸脱することなくなされ得ることが理解されるべきである。したがって、以下の詳細な説明は、限定的な意味で解釈されるべきではなく、また、本発明の範囲は、添付の特許請求の範囲によって定義される。
【００２５】
本発明は、光コネクタを目的とする。特に、代表的な実施形態の光コネクタは、広い温度範囲にわたって向上した熱安定性を提供する。代表的な一態様では、光コネクタは、ファイバーの末端面の位置がフェルールの末端面に対して広い温度範囲にわたってほぼ一定に保つよう構成される。代替的な実施形態では、ファイバーの末端面はフェルールの末端面とぴったり重ねて配置されてもよく、又はファイバーの末端面はフェルールの末端面から所定の突出距離だけ突出していてもよい。本明細書の代表的な構造体を使用すると、終端処理されたファイバーに加えられる接触力は、広い温度範囲にわたり接続時に好適なレベルに保たれることができる。
【００２６】
本発明の第１の代表的な実施形態によると、光ファイバーコネクタ１００は、図１の等角図、及び図６の分解図に示される。図２〜５は、光コネクタ１００の種々の構成要素のより詳細な図を示す。光コネクタ１００は、レセプタクルと接続するよう構成される。例えば、レセプタクルは、コネクタ連結具、コネクタアダプター、及び／又はコネクタソケットであってもよい。また、図１に示されるように、代表的な光コネクタ１００は、ＳＣ形式を有するように構成される。ただし、本説明から当業者には明らかであるように、いくつかの例を挙げると、ＳＴ、ＦＣ、及びＬＣコネクタ形式などの、他の標準形式を有する光コネクタも提供可能である。
【００２７】
光ファイバーコネクタ１００は、ハウジングシェル１１２とファイバーブート１８０とを有するコネクタ本体１０１を含んでよい。この代表的な実施形態において、シェル１１２は、ＳＣレセプタクル（例えば、ＳＣ連結具、ＳＣアダプター又はＳＣソケット）、及びシェル１１２内部に収容されコネクタ１００の構造的な坦持を付与するバックボーン１１６内に受容されるように構成される。加えて、バックボーン１１６は、少なくとも１つのアクセス開口部１１７を更に含み、コネクタ内に配置される把持装置を作動させるためにアクセスできる。バックボーン１１６は、ファイバーブート１８０に連結を施す実装構造体１１８を更に含み、光ファイバーを曲げに関連する応力損失から保護するために利用できる。本発明の代表的な実施形態によると、シェル１１２及びバックボーン１１６は、金属及び他の好適に剛性の材料も利用できるが、高分子材料から形成又は成型されることができる。シェル１１２は、好ましくはスナップ嵌めによってバックボーン１１６の外側表面に固定される。
【００２８】
コネクタ１００は、コネクタハウジング内に配置されその中に保持される鍔体１２０を更に含む。代表的な実施形態によると、鍔体１２０は、把持装置１４０及びファイバーバッファークランプ（図６に示されるバッファークランプ部１２６など）を収容できる多目的の要素である。好ましい態様では、コネクタ１００は変位機構を含む。図１〜６の実施形態では、変位機構は、鍔体１２０上に形成された可撓性外壁又は湾曲壁１２７などの可撓性構造体を含む。この可撓性湾曲外壁構造体１２７により、光コネクタ１００は、コネクタの接続時にフェルール及びファイバーがそれぞれ適正量の力を受けるよう、接触力を適切な方法で分散できる。
【００２９】
更に、壁構造体１２７は、温度変化時にコネクタの他の部分の変化を打ち消すように膨張及び収縮して、何の変化ももたらさないよう作用することができる。あるいは、可撓性壁構造体は、壁構造体の一部として形成された柔軟材料を有する外壁構造体を含むことができる。力の分散に関する詳細は、以下により詳細に説明する。加えて、可撓性外壁構造体は、熱膨張／収縮によりフェルールの限られた軸方向変位を提供する。
【００３０】
鍔体１２０の構造体によってフェルールの軸方向変位が提供されるため、この設計を通して、また（以下に説明するような）特定の構成要素の構成材料の選択を通して、フェルールの末端面に対する光ファイバーの先端又は末端面の位置は、約−４０℃〜約７５℃、又は約−４０℃〜約８５℃の標準的なテレコーディア（Telcordia）ＧＲ３２６の範囲などの広い温度範囲にわたってほぼ一定を保つことができる。好ましくは、ファイバーの先端はフェルールの末端面とぴったり重なって配置される。あるいは、ファイバーの先端は、フェルールの末端面から所定の量だけ突出するように配置される。
【００３１】
また、鍔体は、バックボーン１１６内で幾らか制限された軸方向の動きを有するよう構成される。例えば、鍔体１２０は、フェルール１３２が、例えばレセプタクルに挿入されると、鍔体とバックボーンとの間に置かれたスプリング１５５に対する抵抗を与えるフランジとして使用可能な肩部１２５を含むことができる。本発明の代表的な実施形態によると、鍔体１２０は、金属及び他の好適な材料も利用できるが、高分子材料から形成又は成型されることができる。例えば、鍔体１２０は、射出成型一体材料を含んでよい。鍔体に好適な材料は、本明細書に記載の温度安定性パラメーターに従って選択することができる。
【００３２】
構造上、鍔体１２０は、フェルール１３２を受容及び収容するための開口部を有する第１の末端部分１２１を含む。フェルール１３２は、セラミックス、ガラス、プラスチック又は金属材料から形成可能であり、その中に挿入され終端処理された光ファイバーを坦持する。第１の代表的な態様では、フェルール１３２はセラミックフェルールである。別の代表的な態様では、フェルール１３２はガラスフェルールである。フェルールに好適な材料は、以下により詳細に記載する温度安定性パラメーターに従って選択することができる。コネクタ内で終端処理されるファイバーは、ＳＭＦ  ２８（Ｃｏｒｎｉｎｇ  Ｉｎｃ．から入手可能）などの標準的な単一モード又は多モード光ファイバーを含むことができる。フェルール１３２は、好ましくはフランジ部１２１ａとぴったり重ねて配置され、エポキシ樹脂接着剤又は他の好適な接着剤で鍔体部内に固定される。あるいは、フェルール１３２は、フランジ部１２１ａに嵌って固定されるなど、鍔体１２０の第１の末端部分１２１に摩擦嵌めされてもよい。
【００３３】
鍔体１２０は、把持装置１４０を鍔体１２０の中央空洞に挿入可能な開口部１２２を提供するハウジング部分１２３を更に含む。代表的な実施形態では、鍔体は、熱膨張／収縮により把持装置１４０の軸方向変位を制限する。
【００３４】
代表的な実施形態では、把持装置１４０は、要素１４２及び作動キャップ１４４を含むことができる。把持要素１４２は、鍔体１２０のハウジング部分１２３内に形成された固定要素の架台又はネスト１４３の中に実質的に固定されるよう、鍔体１２０のハウジング部分１２３に取り付け可能である。要素１４２が架台又はネスト１４３に設置されると、要素の一部がハウジング部分１２３の後壁１２３ａに対して位置合わせされる。要素１４２のもう一方の末端部は、スプリングアームなどの弾性要素１２９に対して配置される。
【００３５】
好ましい態様では、把持要素１４２は、２つの脚部を連結する焦点ヒンジを有する延性材料のシートを含み、脚部の一方又は両方は、内部に受容される従来のガラス光ファイバーに対してクランプ力を最適化するためのファイバー把持チャンネル（例えば、Ｖ型、チャンネル型、若しくはＵ型の溝１４７、又は溝形状の組み合わせ）を含む。代表的な一実施形態では、該要素は、３線接触領域が得られるように、一方の脚部にＶ型の溝を、もう一方の脚部にチャンネル型の溝を含むことができる。延性材料は、例えばアルミニウム又は陽極酸化アルミニウムであり得る。把持装置１４０により、現場技術者は、終端処理される光ファイバーをフェルールから遠隔的に把持できる。あるいは、当業者には理解されるであろうが、把持装置１４０は、従来の機械的なスプライス装置と同様の形状を有するように設計されてもよい。例えば、代替的な一態様では、把持装置は、くさびで作動する機械的な把持要素を含むことができる。
【００３６】
キャップ１４４は、好ましくは把持要素１４２が内部に挿入されたファイバーを把持するように把持要素１４２と嵌合するよう構成される。キャップは、金属及び他の好適な剛体材料も利用できるが、高分子材料から形成又は成型されることができる。好ましい態様では、キャップ１４４は、要素１４２の材料と同じ材料から形成され得る。あるいは、少なくとも該要素と同様の熱膨張係数（ＣＴＥ）を有する材料を利用することができる。このような代替的な光ファイバーコネクタの説明は、以下に記載される。また、キャップの寸法は、キャップが要素と完全に嵌合しているときに、キャップが熱膨張又は収縮中に要素１４２と共に軸方向の膨張／収縮から制限されないように、ハウジング部分１２３内に支障なく収まるよう設計される。
【００３７】
操作時、キャップ１４４が開位置から閉位置（例えば図６に示した実施形態において下方向）に移動するとき、キャップ１４４の内側部分に位置決めされた１つ以上のカムバーは要素脚部上を摺動でき、それらを互いに向かって付勢する。終端処理されるファイバーのガラス部分は、要素１４２に形成された溝１４７に設置され、要素脚部がキャップ１４４によって互いの方向に動かされることで把持される。その結果、一旦把持されると、ファイバーはフェルール内で動くことができる。
【００３８】
更なる代替例では、キャップ１４４は第１及び第２のキャップに分けられてもよく、第１のキャップは、要素１４２をハウジング部分内に固定することができ、第２のキャップは要素１４２を作動させてファイバーを固定することができる。
【００３９】
上述したように、本明細書に記載の代表的な実施形態は、広い温度範囲にわたってコネクタの熱安定性を向上し得る機構を提供する。上述したように、ハウジング部分１２３は、要素１４２の一部と接触するために弾性要素１２９（スプリングアームなど）を更に含むことができる。温度状態が変化すると、要素１４２は軸方向に膨張又は収縮し得るが、スプリングアーム１２９は要素１４２を架台又はネスト１４３内に維持するよう幾らかの抵抗を提供する。スプリングアーム１２９によって与えられる軸方向の力は、予想される動作温度範囲にわたって意図されるコネクタ内の力の分散に基づき選定されることができる。
【００４０】
更に、鍔体は、フェルールがファイバーから独立して動くことができるよう設計される。上述したように、鍔体は可撓性壁構造体を含むことができる。図２に示されるような好ましい態様では、鍔体１２０は湾曲側壁１２７を含む（図には一方のみが示されている）。湾曲側壁１２７は、可撓性であり、鍔体の内部フランジ１２１ａに対してしっかりと配置されたフェルール１３２に軸方向の動きを与えることができる。あるいは、側壁は、好適な可撓性を提供するために、少なくともその一部に形成された柔軟材料を含むことができる。
【００４１】
表１は、１２０℃にわたる温度変化による様々な構成要素の長さの変化に対応するデータを提供する。この実施例では、フェルールはセラミック材料が選択され、鍔体はプラスチック（ベクトラ（Vectra））、把持要素はアルミニウム材料、ファイバーは実質的にシリカ（ガラス）から形成される。
【００４２】
【表１】
0005456697.tif 000002
表１
【００４３】
上記の結果は、１２０℃にわたる温度変化で合計１８ｎｍというほとんど無視できるほどの長さの変化が得られたことを示す。
【００４４】
上記の表に記載したような材料の選択により、構成要素に合ったＣＴＥを提供することができ、その結果、フェルールの末端部に対するファイバーの末端部の相対的な位置が広い温度範囲にわたって維持される。更に、本明細書に記載の代表的なコネクタ構造体により、把持されたガラスファイバーに適切な末端負荷が加えられ、適切な光接触が達成及び維持される。この負荷は、ファイバー接触が負荷過剰又は負荷不足にならないように加えることができる（したがって、光接続不良のリスクを減らす）。加えられた負荷の残量は、その後、フェルール１３２及び鍔体１２０などの残りの構造体によって伝達され得る。
【００４５】
特に図１〜６の好ましい態様に関して上述したように、コネクタ１００は、適切な力に対するたわみ特性を提供する可撓性側壁構造体（湾曲構造として、又は柔軟材料により）の使用により、上記のような熱補償及び適切な負荷特性を提供することができる。
【００４６】
接続時に、コネクタ１００の構造体は、損傷の原因となり得る過剰な力をファイバーに直接加えないよう、好適に力を分散させることができる。より詳細には、図７〜９において、第２のコネクタ（簡略化のためフェルール１９０で表す）と接続する前及び後の代表的なコネクタ１００の断面図を示す。図のように、コネクタ１００の構造体は、２つのほぼ平行な膨張経路（図４を参照）を提供することができ、第１の経路Ｐ１は、把持要素、及びフェルールを通って伸びる把持されたファイバーで構成され、第２の経路Ｐ２は、フェルールの末端面１３３からハウジング部分１２３の後壁１２３ａまでの、フェルール及び鍔体で構成される。好ましい態様では、これらの平行な膨張／収縮経路は、経路長が温度変化に伴ってほぼ同量変化するように、総有効ＣＴＥがほぼ同じになるよう設計され得る。
【００４７】
把持要素１４０の一部が壁１２３ａに対して位置合わせされるように、接続前に把持要素１４０は鍔体１２０内に実質的に固定される。ファイバーケーブル１１５のファイバー１０５が把持される領域は図７の領域１７６であり、ファイバー１０５がフェルール内で自由に動ける領域は領域１７７である。この代表的な実施形態では、ファイバー１０５の末端面又は先端は、フェルールの末端面１３３とぴったり重なって配置される。図８に示されるように、コネクタが最初に接続され、第２のコネクタのフェルール１９０はコネクタ１００のフェルール１３２と境界面１９２で接触する。この接触した境界面で、第一のコネクタのファイバー１０５と第２のコネクタのファイバー１０６も接触して設置される。コネクタ１００のスプリング１５５により、好適な力がコネクタ本体に事前に加えられる。例えば、この事前に加わる力は、標準的なテレコーディア（Telcordia）ＧＲ３２６アプリケーションで約７．８Ｎ〜約１１．８Ｎになり得る。
【００４８】
図９では、フェルール１３２及び１９０に全面的な接触力がもたらされるが、ファイバー１０５及び１０６の先端はそれぞれのフェルールの末端面とぴったり重なったままである。好ましい態様では、フェルールは、加えられた負荷の約９０％を移送し、その力を鍔体１２０に伝達する。同時に、ファイバーは圧縮状態で全負荷の２０％未満、好ましくは負荷の約１０％を伝える。フェルール１３２に加えられた力の一部は鍔体１２０の側壁１２７に伝達され、側壁が矢印１０７の方向に外側に曲げられる。更に、スプリング１５５が圧縮される。その結果、鍔体の可撓性外壁構造体１２７により、光コネクタ１００は、コネクタの接続時にフェルール及びファイバーがそれぞれ適正量の力を受けるよう接触力を適切な方法で分散させることができる。
【００４９】
コネクタ１００の別の態様は、光ファイバーケーブル１１５のバッファー部を掴持するよう構成可能な鍔体のバッファークランピング部分１２６を含む。一態様では、バッファークランピング部分１２６は、バッファークランプをその構造体の一体化部分として含むよう構成されてもよい。例えば、バッファークランピングの構成は、１つ以上の縦方向に形成されたスロットを含み、結果的にコレット様の形状になってもよい。更に、バッファークランピング部分の内側表面は、隆起部又は成形とげ（shaped-barb）（図示せず）を、ファイバーの挿入を可能にしファイバーの取り外しに耐えられる、一方向の把持として含むように形成されてもよい。
【００５０】
代表的な態様によると、バッファークランピング部分１２６は、外径９００μｍのバッファークラディング、２５０μｍのバッファークラディング、又は外径がより大きい若しくは小さいファイバーバッファークラディングなどの標準的な光ファイバーバッファークラディングを掴持するよう構成されることができる。この代表的な実施形態では、特定のバッファークランピング要素を作動するために、コネクタ１００は、バッファークランピング部分１２６の外側表面によって軸方向に摺動して受容される貫通した開口部を有する作動スリーブ１６０を更に含むことができる。スリーブ１６０は、高分子材料又は金属材料から形成されてよい。好ましくは、スリーブ１６０の硬度は、バッファークランピング部分１２６を形成する材料の硬度より大きい。スリーブ／クランプ機構の動作、並びに代替的なバッファークランプ構造体の動作は、参照により本明細書にその全体が組み込まれる米国特許第７，２８０，７３３号に記載されている。
【００５１】
コネクタ／ファイバー境界面での鋭いファイバーの曲げを防止するために、ブート１８０が利用されてもよい。代表的な態様において、ブート１８０は、従来の先細テールを含む。コネクタ１００に好適な代替的なブート構造体は、上記において参照により組み込まれる米国特許第７，２８０，７３３号に記載されている。
【００５２】
上に示した代表的なコネクタは、２５０μｍ、９００μｍ又は非標準的なバッファーコーティング光ファイバーの現場での簡単なファイバー終端処理を、電源、接着剤、高価な設置道具、又は現場研磨を必要とせずに提供できる。例えば、代表的なコネクタは、２５０又は９００マイクロメートルのファイバーケーブル用の全長約５．１ｃｍ（２インチ）未満のＳＣ形式コネクタであってもよい。
【００５３】
別の代表的な態様では、現場での終端処理方法が提供される。例えば、上記に示されたコネクタ１００と同等又は同一のコネクタが提供され得る。代表的なファイバーケーブルは、例えば、９００μｍ光ファイバー用の３．５ｍｍ被覆引き込みケーブルを含むことができる。光ファイバーは、次に、従来の劈開装置を使用して剥がし平坦に（あるいは、傾斜を付けて）劈開することにより調製され得る。ファイバージャケット／プラスチックコーティングは、従来の機械ファイバーストリッパーを使用して剥がすことができる。ファイバーのガラス部分は、きれいに拭かれることができる。
【００５４】
ファイバーの末端部を調製したら、ファイバーの先端がフェルールの末端面１３３を所望の量だけ超えて達するまで、ファイバーの剥いだ部分をコネクタ（特に鍔体内）に挿入することができる。作動キャップ１４４を要素１４２に押し付けてガラスファイバーを把持することができ、またバッファークランプを作動してファイバーのバッファー部を掴持することができる。
【００５５】
ファイバーが把持要素で固定されると、好ましい態様では、ファイバーの先端／フェルールの末端面は、ファイバーの先端がフェルールの末端面とぴったり重なるように、従来の現場での研磨方法を使用して研磨される。あるいは、ファイバーがわずかに突出するべく現場で研磨されてもよい。例えば、代替的な態様では、鍔体の湾曲側壁を制御しながら偏向させる（例えば、内側に押す）間に、ファイバーの先端／フェルールを研磨することができる。この動作により、フェルールは軸方向に伸張する。研磨プロセスが完了したら、側壁を通常の静止状態に戻すことで、フェルールが軸方向に引っ込み、ファイバーを突出させることができる。
【００５６】
代替的な態様では、別のコネクタとの接触時に負荷の分散を達成するよう、フェルールの末端面から所望の距離だけ伸張した、突出したファイバーの先端を有する、より剛性の鍔体構造を使用することができる。この代替的な態様では、ガラスファイバーは、ファイバーの柱長が所望の事前負荷値で短縮され、ファイバーの先端がフェルールの先端とぴったり重なるまで、負荷を受容する。負荷が更に加えられると、負荷は実質的にフェルールによって伝達される。
【００５７】
本発明の代替的な実施形態によると、光ファイバーコネクタ２００は図１４に分解図に示されており、図１０〜図１３は、光コネクタ２００の様々な構成要素のより詳細な図を提供している。光コネクタ２００は、ＳＣ、ＳＴ、ＦＣ、及び／又はＬＣコネクタ形式を許容するようなレセプタクルなどのレセプタクルと接続するよう構成される。
【００５８】
光ファイバーコネクタ２００は、ハウジングシェル２１２及びファイバーブート２８０を有するコネクタ本体を含んでよい。この代表的な実施形態では、シェル２１２は、ＳＣレセプタクル（例えば、ＳＣ連結具、ＳＣアダプター、又はＳＣソケット）に受容されるよう構成される。バックボーン２１６は、シェル１１２内に収容され、コネクタ２００に構造的な支持を提供することができる。加えて、バックボーン２１６は、少なくとも１つのアクセス開口部２１７を更に含み、これは、コネクタ内に配置される把持装置を作動させるためのアクセスを提供できる。バックボーン２１６は、ファイバーブート２８０に連結を施す実装構造体２１８を更に含み、光ファイバーを曲げに関連する応力損失から保護するために利用できる。シェル２１２及びバックボーン２１６は、金属及び他の好適に剛性の材料も利用できるが、高分子材料から形成又は成型されることができる。シェル２１２は、好ましくはスナップ嵌めによってバックボーン２１６の外側表面に固定される。
【００５９】
コネクタ２００は、コネクタハウジング内に配置されその中に保持される鍔体２２０を更に含む。上述した鍔体１２０とは異なり、鍔体２２０はより剛性の外壁を含むことができる。鍔体２２０は、把持装置２４０及びファイバーバッファークランプ２２６を収容し得る。また、鍔体は、バックボーン２１６内で幾らか制限された軸方向の動きを有するよう構成される。例えば、鍔体２２０は、フェルール２３２が、例えばレセプタクルに挿入されると、鍔体とバックボーンとの間に置かれたスプリング２５５に対する抵抗を与えるフランジとして使用可能な肩部２２５を含むことができる。本発明の代表的な実施形態によると、鍔体２２０は、金属及び他の好適な材料も利用できるが、高分子材料から形成又は成型されることができる。例えば、鍔体１２０は、射出成型一体材料を含んでよい。鍔体に好適な材料は、本明細書に記載の温度安定性パラメーターに従って選択することができる。
【００６０】
構造上、鍔体２２０は、フェルール２３２を受容及び収容するための開口部を有する第１の末端部分２２１を含む。フェルール２３２は、セラミックス、ガラス、プラスチック又は金属材料から形成可能であり、その中に挿入され終端処理された光ファイバーを坦持する。第１の代表的な態様では、フェルール２３２はセラミックフェルールである。別の代表的な態様では、フェルール２３２はガラスフェルールである。フェルールに好適な材料は、本明細書に記載の温度安定性パラメーターに従って選択することができる。コネクタ内で終端処理されるファイバーは、標準的な単一モード又は多モード光ファイバーを含むことができる。フェルール２３２は、好ましくはエポキシ樹脂接着剤又は他の好適な接着剤で鍔体部内に固定されるか、あるいは、フェルール２３２は、鍔体２２０の第１の末端部分２２１に摩擦嵌めされてもよい。
【００６１】
鍔体２２０は、把持装置２４０を鍔体２２０の中央空洞に挿入可能な開口部２２２を提供するハウジング部分２２３を更に含む。代表的な実施形態では、鍔体は、所定のファイバー突出距離を与えるよう、把持装置２４０の軸方向変位を提供する。
【００６２】
代表的な実施形態では、把持装置２４０は、要素２４２及び作動キャップ２４４を含むことができる。把持要素２４２は、固定要素の架台又はネスト２４３内で鍔体２２０のハウジング部分２２３に取り付け可能である。好ましい態様では、把持要素２４２は、２つの脚部を連結する焦点ヒンジを有する延性材料のシートを含み、それぞれの脚部は、内部に受容される従来のガラス光ファイバーに対してクランプ力を最適化するためのファイバー把持チャネルを含む。延性材料は、例えばアルミニウム又は陽極酸化アルミニウムであり得る。
【００６３】
あるいは、当業者には理解されるであろうが、把持装置２４０は、従来の機械的なスプライス装置と同様の形状を有するように設計されてもよい。例えば、代替的な一態様では、把持装置は、くさびで作動する機械的な把持要素を含むことができる。
【００６４】
キャップ２４４は、好ましくは、把持要素２４２が中に挿入されたファイバー２０５を把持するように、把持要素１４２と嵌合するよう構成される。キャップは、金属及び他の好適な材料も利用できるが、高分子材料から形成又は成型されることができる。好ましい態様では、キャップ２４４は、要素２４２の形成材料と同一又は同様の材料から形成され得る。また、キャップの寸法は、キャップが要素２４２と完全に嵌合しているときに、キャップ２４４が要素１４２で軸方向の動きから制限されないように、ハウジング部分２２３内に支障なく収まるように設計される。
【００６５】
操作時、キャップ２４４が開位置から閉位置（例えば図１４に示した実施形態において下方向）に移動するとき、キャップ２４４の内側部分に位置決めされた１つ以上のカムバーは要素脚部上を摺動でき、それらを互いに向かって付勢する。ファイバー２０５のガラス部分は、要素２４２の溝に設置され、要素脚部がキャップ２４４によって互いの方向に動かされることで把持される。その結果、一旦把持されると、ファイバーはフェルール内で動くことができる。
【００６６】
要素２４２が架台又はネスト２４３に設置されると、要素の一部がカムピン２６０の第１の部分２６１ａに対して位置合わせされる。要素２４２のもう一方の部分は、スプリングアームなどの弾性要素２２９に対して配置される。カムピン２６０は、ファイバー軸を横断する穴２６２を通じて鍔体のハウジング部分に挿入可能な円筒形の構造体である。ガイド又は溝構造体（図示せず）により、ピン２６０は要素２４２に位置合わせを提供するように所定の位置に保持され得る。
【００６７】
好ましい態様では、カムピン２６０は、第１の直径を有する第１の部分２６１ａ、及び第１の直径より大きい第２の直径を有する第２の部分２６１ｂを有する。その結果、ファイバー及びフェルールの末端面を研磨した後、ピン２６０を更に挿入すると、より幅広の第２の部分２６１ｂにより要素２４２が更に軸方向に変位され、ファイバーが末端面に対して前方に動き、ファイバーの突出部が生じ得る。カムピン２６０の直径は、所定の平行移動を提供するよう選択され、その結果、カム機構により所定のファイバーの突出部が達成され得る。あるいは、カムピン２６０は、１／２回転で要素２４２及びキャップ２４４を動かすカム動作がもたらされるような偏心円筒として構成されてもよい。カムピンの作動は、バックボーン２１６に開けられたアクセス開口部を通してカムピン２６０にアクセス可能な単一のツール（図示せず）の使用により達成され得る。更なる代替例では、くさび型の構造体により、この構造体をハウジング部分２２３に挿入することで要素２４２及びキャップ２４４を動かすことができる。
【００６８】
好ましい態様では、ファイバー２０５は、約１０μｍ〜約２５μｍ、より好ましくは約１０μｍ〜２０μｍの距離だけ突出する。この量は、接続時にファイバーにかかる所望の力に基づいて決定され得る。
【００６９】
接続時に、コネクタ２００の構造は、損傷の原因となり得る過剰な力をファイバーに直接加えないよう、好適に力を分散することができる。より詳細には、図１５及び１６において、第２のコネクタ（簡略化のためフェルール２９０で表す）と接続する前及び後の代表的なコネクタ２００の断面図を示す。
【００７０】
接続前に、把持要素２４０は、鍔体２２０内に実質的に固定されており、カムピン２６０は、ファイバーの先端２０４がフェルールの末端面２３３から所定の量だけ突出するべく作動される（ファイバー２０５は、以下に記載するように、この作動の前に好ましくは末端面２３３とぴったり重なるよう研磨される）。ファイバーケーブル２１５のファイバー２０５は該要素によって把持されており、ファイバー２０５はフェルール２３２内で動くことができる。
【００７１】
図１６に示されるようにコネクタが初めに接続され、ファイバーの先端２０４が第２のコネクタのファイバー２０６と最初に接触する。続いて、ファイバー２０５は、フェルールの末端面が境界面２９２で接触するまで、押圧によって圧縮される。次に、この接触した境界面で、フェルール２３２は第２のコネクタから残りの力を受ける。コネクタ２００のスプリング２５５により、好適な力がコネクタ本体２２０に事前に加えられる。
【００７２】
例えば、コネクタ間の接続された末端部の力の合計は、約７．８Ｎ〜約１１．８Ｎになり得る。ファイバーの突出部が１０μｍ〜２０μｍのとき、ファイバー２０５は、好適な光接触を確保する約０．６Ｎ〜約１．４Ｎの末端負荷を受ける。負荷の残量は、フェルール２３２及び鍔体２２０によって担われる。この実施形態では、コネクタ１００の実施形態と比べて、鍔体及びフェルールのアセンブリの硬さ／剛性は、ファイバー柱の剛性の約１０００倍である。その結果、ファイバーが最初の接触時にフェルールの末端部とぴったり重なる位置まで圧縮される（又はたわむ）と、フェルール２３２が残りの大部分の負荷を担う。
【００７３】
コネクタ２００の更なる態様は、光ファイバーケーブル２１５のバッファー部を掴持するよう構成可能な鍔体のバッファークランピング部分２２６を含む。バッファークランプは、上記のバッファークランプ１２６と同一又は同様の方法で構成されることができる。
【００７４】
代表的な態様によると、バッファークランピング部分２２６は、標準的な光ファイバーバッファークラディングを掴持するよう構成され得る。この代表的な実施形態では、特定のバッファークランピング要素を作動するために、コネクタ２００は、バッファークランピング部分２２６の外側表面によって軸方向に摺動して受容される貫通した開口部を有する作動スリーブ２６５を更に含むことができる。スリーブ２６５は、高分子材料又は金属材料から形成可能である。スリーブ／クランプ機構の動作は、上述されている。
【００７５】
コネクタ／ファイバー境界面での鋭いファイバーの曲げを防止するために、ブート２８０が利用されてもよい。代表的な態様において、ブート２８０は、従来の先細テールを含む。ブート２８０は、上述したような代替的な構造を有していてもよい。
【００７６】
別の代表的な態様では、現場での終端処理方法が提供される。例えば、上記に示されたコネクタ２００と同等又は同一のコネクタが提供され得る。代表的なファイバーケーブルは、例えば、９００μｍ光ファイバー用の３．５ｍｍ被覆引き込みケーブルを含むことができる。光ファイバーは、次に、従来の劈開装置を使用して剥がし平坦に劈開することにより調製され得る。ファイバージャケット／プラスチックコーティングは、従来の機械ファイバーストリッパーを使用して剥がすことができる。ファイバーのガラス部分は、きれいに拭かれることができる。
【００７７】
ファイバーの末端部を処理したら、ファイバーの先端がフェルールの末端面２３３を所望の量だけ超えて達するまで、ファイバーの剥いだ部分をコネクタ（特に鍔体内）に挿入することができる。作動キャップ２４４を要素２４２に押し付けてガラスファイバーを把持することができ、またバッファークランプ２２６を作動してファイバーのバッファー部を掴持することができる。
【００７８】
ファイバーが把持要素で固定されると、好ましい態様では、ファイバーの先端／フェルールの末端面は、ファイバーの先端がフェルールの末端面とぴったり重なるように、従来の現場での研磨方法を使用して研磨される。あるいは、ファイバーがわずかに突出するべく現場で研磨されてもよい。
【００７９】
ファイバーをフェルールの末端面とぴったり重ねて研磨した後、ファイバーの先端が所望の量（例えば、約１０μｍ〜約２０μｍ）だけ突出するべく、カムピンを挿入して把持装置２４０を軸方向に変位させることができる。
【００８０】
本発明の別の代替的な実施形態によると、図１７Ｃには光ファイバーコネクタ３００が分解図で示されており、図１７Ａ〜図１７Ｂ、図１７Ｄ、図１８Ａ〜図１８Ｄ、及び図１９Ａ〜図１９Ｂは、光コネクタ３００の様々な構成要素のより詳細な図を提供している。光コネクタ３００は、ＳＣ、ＳＴ、ＦＣ、及び／又はＬＣコネクタ形式を許容するようなレセプタクルなどのレセプタクルと接続するよう構成される。
【００８１】
光ファイバーコネクタ３００は、ハウジングシェル３１２及びファイバーブート３８０を有するコネクタ本体を含んでよい。この代表的な実施形態では、シェル３１２は、ＳＣレセプタクル（例えば、ＳＣ連結具、ＳＣアダプター、又はＳＣソケット）に受容されるよう構成される。図１７Ｃに示されるように、バックボーン３１６は、シェル３１２内に収容され、コネクタ３００に構造的な支持を提供することができる。更に、バックボーン３１６は、少なくとも１つのアクセス開口部３１７を更に含み、これは、コネクタ内に配置される把持装置を作動させるためのアクセスを提供できる。バックボーン３１６は、ファイバーブート３８０に連結を施す実装構造体３１８を更に含むことができる。シェル３１２及びバックボーン３１６は、上記材料から形成可能である。シェル３１２は、好ましくはスナップ嵌めを介してバックボーン３１６の外側表面に固定される。
【００８２】
コネクタ３００は、コネクタハウジング内に配置されその中に保持される鍔体３２０を更に含む。鍔体は、バックボーン３１６内に幾らか限定された軸の動きを有するよう構成される。鍔体３２０は、フェルール３３２が、例えばレセプタクルに挿入されると、鍔体とバックボーンとの間に置かれたスプリング３５５に対する抵抗を与えるフランジとして使用可能な肩部を含むことができる。
【００８３】
鍔体３２０は、把持装置３４０及びファイバーバッファークランプ３２６を収容し得る。把持装置３４０は把持要素３４２と作動キャップ３４４とを含み、鍔体３２０のネスト３４３内に配置され得る。上述した鍔体１２０とは異なり、鍔体３２０は剛性の外壁を含むことができる。
【００８４】
好ましい態様では、光コネクタ３００は、同じ材料で作製されるが、ファイバー軸方向へのＣＴＥはそれぞれ異なる鍔体３２０と作動キャップ３４４とを含む。具体的には、作動キャップはファイバー軸方向へのＣＴＥを有し、これは鍔体のこの同じ方向へのＣＴＥと実質的に異なる。その結果、光ファイバーコネクタは、大きな（即ち、１００℃超過）温度領域（例えば、−４０℃〜８０℃）にわたって熱的に平衡をとることができる。
【００８５】
構造上、鍔体３２０は、フェルール３３２を受容及び収容するための開口部を有する第１の末端部分３２１を含む。フェルール３３２は、セラミックス、ガラス、プラスチック又は金属材料から形成可能であり、その中に挿入され終端処理された光ファイバーを坦持する。第１の代表的な態様では、フェルール３３２はセラミックフェルールである。別の代表的な態様では、フェルール３３２はガラスフェルールである。コネクタ内で終端処理されるファイバーは、標準的な単一モード又は多モード光ファイバーを含むことができる。フェルール３３２は、好ましくはエポキシ樹脂接着剤又は他の好適な接着剤で鍔体部内に固定されるか、あるいは、フェルール３３２は、鍔体３２０の第１の末端部分３２１に摩擦嵌めされてもよい。この代表的な態様では、鍔体３２０は高分子材料、特に、異方性のＣＴＥを有する高分子材料から形成又は成型されることができる。
【００８６】
この代表的なの態様において、把持装置３４０は、要素３４２と、作動キャップ３４４と、を有する。把持要素３４２は、要素の架台又はネスト３４３内で鍔体３２０のハウジング部分に取り付け可能である。好ましい態様では、把持要素３４２は、２つの脚部を連結する焦点ヒンジを有する延性材料のシートを含み、それぞれの脚部は、内部に受容される従来のガラス光ファイバーに対してクランプ力を最適化するためのファイバー把持チャネルを含む。延性材料は、例えばアルミニウム又は陽極酸化アルミニウムであり得る。
【００８７】
この代替的な態様では、要素３４２は、上記の要素１４２及び２４２とは異なる形状を有する。具体的には、要素３４２は、それぞれキャップ３４４と嵌合する別個の第１のクランピングゾーン３４１Ａと第２のクランピングゾーン３４１Ｂとを含む。更に、クランピングゾーン３４１Ａと３４１Ｂとの間に凹部が形成され得る。この構造では、鍔体３２０は、キャップが非作動位置にある場合に、又はキャップが作動位置から非作動位置に移動された場合に、要素３４２を定位置に維持するために、要素の凹部の上に延在するタブ３２８を更に含む。
【００８８】
キャップ３４４は、好ましくは、把持要素３４２が中に挿入されたファイバー２０５をしっかり把持するように、把持要素３４２と嵌合するよう構成される。この代表的な態様では、図１７Ｂ及び図１７Ｄに示されるように、キャップの壁は要素３４２の周りにすっぽりと嵌まる。操作時、キャップ３４４が開位置から閉位置（例えば図１７Ｃに示した実施形態において下方向）に移動するとき、キャップ３４４の内側部分に位置決めされた１つ以上のカムバー、例えば、図１８Ｄの断面図に示されるカム３４３Ａ及び３４３Ｂは、１つ以上のクランピングゾーンの中の要素脚部上を摺動でき、それらを互いに向かって付勢する。一態様では、キャップ３４４の内側表面は、その内部表面に配置されたカム部分３４３Ａと３４３Ｂとを含み、これらは、クランピングゾーン３４１Ｂに加えられるクランプ力と異なるクランプ力をクランピングゾーン３４１Ａに提供する。カムバーは、作動キャップ３４４の軸方向長さに沿って部分的に又は全体に延在することができる。１つの好ましい態様では、クランピングゾーン３４１Ａ（フェルール３３２に最も近い）に加えられる把持力は、クランピングゾーン３４１Ｂに加えられるクランプ力よりも大きい。更なる代表的な態様では、クランピングゾーン３４１Ｂに加えられるクランプ力は、ほぼゼロであることができる。
【００８９】
ファイバーのガラス部分は要素３４２の溝に設置され、要素脚部がキャップ３４４によって互いの方向に動かされることで把持される。好ましい態様では、ファイバーは、約１０μｍ〜約２５μｍ、より好ましくは約１０μｍ〜２０μｍの距離だけ突出する。この量は、接続時にファイバーにかかる所望の力に基づいて決定され得る。
【００９０】
具体的には、この代替的な態様では、キャップ３４４は、鍔体３２０内のキャップの位置を保持するための４つの保持脚部３４８Ａ〜３４８Ｄ（例えば、図１８Ａ〜図１８Ｂを参照）を含む。例えば、保持脚部３４８Ａ〜３４８Ｄのそれぞれは、図１８Ｂ及び図１８Ｄに示されるような、その外側表面に形成される戻り止め３４９Ａ及び３４９Ｂを含むことができる。第１の戻り止め３４９Ａは、作動に先立ってキャップを鍔体のネスト３４３内にしっかりと設置するために使用され得る。キャップ３４４が要素３４２の上に完全に作動されると、第２の戻り止め３４９Ｂは鍔体と嵌合して、キャップ３４４を定位置に更に固定することができる。
【００９１】
更に、この代表的な態様では、キャップ３４４は、キャップの下面のカム表面の両末端部に補強壁を含むことができる。これら壁は、構造強度を提供して、要素３４２の脚部を作動位置に保持することができる。更に、キャップ３４４の下面は、隆起したクランピングゾーン３４１Ａと３４１Ｂとの間に要素３４２を嵌合する（例えば、図１７Ｂ及び図１７Ｄを参照）下面表面隆起部３４５Ａ及び３４５Ｂ（例えば、１８Ｃを参照））を含むことができる。これら表面隆起部３４５Ａ及び３４５Ｂは、使用中の要素３４２の相対的な軸方向位置を維持することができる。
【００９２】
この代表的な態様では、把持装置３４０、特にキャップ３４４は、鍔体３２０の一部分に固定されるので、熱膨張による制御された軸方向の動きを有する。例えば、キャップ及び鍔体が同じポイントに位置合わせされるように、キャップ３４４は鍔体３２０としっかりと嵌合するように設計される。例えば、キャップ３４４は、鍔体の開口部に形成された対応するスロット３２７と嵌合する（例えば、滑り嵌めによって）、側部３４６（例えば、図１９Ａ及び図１９Ｂを参照−キャップのフェルール３３２から離れて配置される側）に形成された蟻継ぎ／隆起部３４７を含むことができる。変化する熱的条件下で制御された軸方向の膨張を提供するために、キャップ３４４は、鍔体の中に完全に配置されると、キャップの前側縁部と、鍔体の前側内壁３２５（例えば、図１７Ｄを参照）との間に小さな空隙又は開口部３２４を残す軸方向長さを有するように設計される。代表的な態様では、位置合わせ点又は面を除いて、キャップ／要素は鍔体と別の最小限の接触を有して、熱膨張している間の摩擦の影響を低減することができる。
【００９３】
この実施形態の好ましい態様によると、鍔体及びキャップは同じ高分子材料で形成又は成型され得る。例えば、キャップ３４４及び鍔体３２０は、共に液晶高分子（ＬＣＰ）で形成され得る。Ｔｉｃｏｎａ  Ｃｏｍｐａｎｙから入手可能なベクトラ（VECTRA）ＬＣＰ  Ａ１３０などのＬＣＰを利用することができる。しかしながら、この代表的な態様では、キャップ３４４はファイバー軸方向へのＣＴＥを有し、これは鍔体３２０のこの同じ方向へのＣＴＥと実質的に異なる。したがって、要素３４２とフェルール３３２との間の距離は、温度が上昇するにつれて制御された方法で減少する。この構造では、要素３４２は、鍔体ではなく、キャップによってコネクタ内でその主軸に沿って拘束される。
【００９４】
ＬＣＰ材は、成形過程の間、流れの方向に第１のＣＴＥを、流れの方向に直交する方向に第２のＣＴＥ（第１のＣＴＥと異なる）を呈する。この代表的な態様では、第１のＣＴＥは第２のＣＴＥよりも小さい。したがって、図１９Ａ及び図１９Ｂに示されるように、ＬＣＰ材を矢印３７２の方向に射出成形することによってキャップ３４４を形成し、ＬＣＰ材を矢印３７２の方向に直交する矢印３７３の方向に射出成形することによって鍔体３２０を形成するといったように、キャップ３４４及び鍔体３２０を製造することができる。このようにして、キャップ３４４は、金属要素３４２のＣＴＥと同様の軸方向のＣＴＥを有することができる。
【００９５】
この代表的な態様では、主軸に沿ったキャップ及び要素のＣＴＥは、鍔体のＣＴＥよりも大きくなるように選択される。したがって、温度が上昇すると、要素の前端（フェルールに最も近い）はフェルール後端に接近することができる。
【００９６】
表２は、１２０℃にわたる温度変化による光コネクタ３００の様々な構成要素の長さの変化に対応するデータを提供する。この例では、フェルールはセラミックス材料であるように選択され、キャップ及び鍔体はベクトラ（Vectra）ＬＣＰ  Ａ１３０材料で形成されるが、これら材料の流れ方向は直交し（鍔体の流れ方向＝ファイバー軸に平行）、ファイバーは実質的にシリカ（ガラス）で形成される。ＣＴＥの値はファイバー軸の方向に関して得られる。
【００９７】
【表２】
0005456697.tif 000003
表２
【００９８】
上記結果は、かなりの温度変化にわたって事実上完全な（総ΔＬ＝０）熱平衡が存在し得るようにコネクタ３００を形成することができることを示している。ここで留意すべきは、材料が異なるのにもかかわらず、キャップのＣＴＥの値が、アルミニウム要素のＣＴＥ（表１を参照）に比較的近くあり得ることである。更にここで留意すべきは、同一材料の構成要素が、その製造によって、有意に異なるＣＴＥ（方向に応じて）を有し得ることである。したがって、材料の選択により、構成要素に合ったＣＴＥを提供することができ、その結果、フェルールの末端部に対するファイバーの末端部の相対的な位置が広い温度範囲にわたって維持される。
【００９９】
コネクタ３００の別の態様は、光ファイバーケーブルのバッファー部を掴持するよう構成可能な鍔体のバッファークランピング部分３２６を含む。バッファークランプは、上記のバッファークランプ１２６と同一又は同様の方法で構成されることができる。
【０１００】
代表的な態様によると、上記のものと同様に、バッファークランピング部分３２６は、標準的な光ファイバーバッファーコーティングを掴持するよう構成可能である。スリーブ３６５は、ポリマー又は金属材料から形成され得る。スリーブ／クランプ機構３６５の操作は、スリーブ１６０及び２６５に関して上述したのと同様である。
【０１０１】
更に、コネクタ３００は、保持又はクリンプ装置３７５を更に備えることができる。装置３７５は、ファイバー終端処理の前に、ファークランピングスリーブ３６５を定位置に保持するように構成される。加えて、いくつかの用途では、装置３７５は、従来の光ファイバーケーブルにおいて利用されるアラミド強化要素などの強化要素をクリンプするための第１のクリンプリング（図示せず）と組み合わせて、支持構造物として使用され得る。
【０１０２】
コネクタ／ファイバー境界面での鋭いファイバーの曲げを防止するために、ブート３８０が利用されてもよい。代表的な態様において、ブート３８０は、従来の先細テールを含む。ブート３８０は、上述したような代替的な構造を有していてもよい。加えて、コネクタ３００には、ブート３８０の後方部分に位置決めされてファイバーケーブルのジャケットをクリンプする追加のクリンプリング（図示せず）を提供することができる。
【０１０３】
コネクタ３００は現場で終端可能なコネクタである。したがって、上記と同様の現場での終端処理方法を用いることができる。
【０１０４】
上記の光コネクタは、ドロップケーブル及び／又はジャンパー等の多くの従来の光コネクタ用途に使用することができる。上記光コネクタは、機器室でのファイバー分配ユニット若しくは壁実装パッチパネル内部、ペデスタル、交差接続キャビネット若しくはクロージャ内部、又は光ファイバー構造ケーブル用途の構内出口内部の光ファイバーネットワークの相互接続及び交差接続のための光ファイバーの終端処理（コネクタライゼーション）にも利用できる。上に記載した光コネクタは、光機器内の光ファイバーの終端処理に使用されてもよい。更に、上に記載した１つ以上の光コネクタが、別の用途に利用されてもよい。また、上記に記載したコネクタは、温度変化の影響を更に受けにくいように設計され、それによって屋外設備用途など、より広範な用途に利用されることができる。
【０１０５】
本明細書を検討すれば、本発明が適用可能であり得る様々な変更、等価の処理、並びに多数の構造が、本発明が対象とする技術の当業者には容易に明らかになるであろう。
【図１】
0005456697.tif 000004
【図２】
0005456697.tif 000005
【図３】
0005456697.tif 000006
【図４】
0005456697.tif 000007
【図５】
0005456697.tif 000008
【図６】
0005456697.tif 000009
【図７】
0005456697.tif 000010
【図８】
0005456697.tif 000011
【図９】
0005456697.tif 000012
【図１０】
0005456697.tif 000013
【図１１】
0005456697.tif 000014
【図１２】
0005456697.tif 000015
【図１３】
0005456697.tif 000016
【図１４】
0005456697.tif 000017
【図１５】
0005456697.tif 000018
【図１６】
0005456697.tif 000019
【図１７Ａ】
0005456697.tif 000020
【図１７Ｂ】
0005456697.tif 000021
【図１７Ｃ】
0005456697.tif 000022
【図１７Ｄ】
0005456697.tif 000023
【図１８Ａ】
0005456697.tif 000024
【図１８Ｂ】
0005456697.tif 000025
【図１８Ｃ】
0005456697.tif 000026
【図１８Ｄ】
0005456697.tif 000027
【図１９Ａ】
0005456697.tif 000028
【図１９Ｂ】
0005456697.tif 000029